(57)【要約】【課題】カメラの支持の安定化を図ることができかつ製造およびメンテナンスを容易にできるカメラ支持具を提供する。【解決手段】カメラ支持具であるカメラ用三脚１は、カメラ取付台５を備え、カメラ取付台５の上面がカメラ取付面７となっている。カメラ取付面７にはゴム塗装を施し、このカメラ取付面７をゴム塗装膜１０で覆った。【選択図】        図１
2004258451.tif 000002
【特許請求の範囲】
【請求項１】
カメラが取り付けられるカメラ取付面にゴム塗装が施されている
ことを特徴とするカメラ支持具。
【請求項２】
カメラ用一脚、カメラ用三脚、カメラ用雲台、カメラ用クイックシューまたはカメラ用クイックシュープレートである
ことを特徴とする請求項１記載のカメラ支持具。
【発明の詳細な説明】
【０００１】
【発明の属する技術分野】
本発明は、カメラの支持の安定化を図ることができかつ製造およびメンテナンスを容易にできるカメラ支持具に関する。
【０００２】
【従来の技術】
従来、例えばカメラが取り付けられるカメラ取付面にカメラの滑り止めおよびカメラの底面保護等のためのコルク製パッドが接着剤により貼着されたカメラ用雲台等のカメラ支持具が知られている（例えば、特許文献１参照。）。
【０００３】
【特許文献１】
特公平２−８１９３号公報（第３頁、第１図）
【０００４】
【発明が解決しようとする課題】
しかしながら、上記従来のように、弾性係数の比較的小さいコルク製パッドを接着剤でカメラ取付面に貼着した構成では次のような問題がある。
【０００５】
すなわち、コルク製パッドは、耐久性の観点から厚さを薄くできないことから、所定以上の厚さにしなければならず、そのため、カメラの支持が不安定になるおそれがある。
【０００６】
また、カメラ取付面およびコルク製パッド間に接着剤層があるために、カメラの支持が不安定になるおそれがある。
【０００７】
さらに、カメラ取付面にコルク製パッドを貼着する際にコルク製パッドがずれやすく、コルク製パッドの貼着作業が煩雑になりがちであるため、製造が容易であるとはいえず、また、メンテナンスも容易ではない。
【０００８】
本発明は、このような点に鑑みなされたもので、カメラの支持の安定化を図ることができ、かつ、製造およびメンテナンスを容易にできるカメラ支持具を提供することを目的とする。
【０００９】
【課題を解決するための手段】
請求項１記載のカメラ支持具は、カメラが取り付けられるカメラ取付面にゴム塗装が施されているものであり、カメラ取付面にコルク製パッドを接着剤で貼着する代わりにゴム塗装を施したものである。
【００１０】
請求項２記載のカメラ支持具は、請求項１記載のカメラ支持具において、カメラ用一脚、カメラ用三脚、カメラ用雲台、カメラ用クイックシューまたはカメラ用クイックシュープレートであるものである。
【００１１】
そして、このような構成により、カメラの支持の安定化が図られ、かつ、製造およびメンテナンスが容易になる。
【００１２】
【発明の実施の形態】
本発明のカメラ支持具の第１の実施の形態について図面を参照して説明する。
【００１３】
図１において、１はカメラ支持具であるカメラ用三脚で、このカメラ用三脚１は基体２を備えている。基体２の周縁部には、伸縮可能な３本の脚体３が回動可能に取り付けられている。基体２の中央部には、１本の昇降杆体４が昇降可能に取り付けられている。
【００１４】
また、昇降杆体４の上端部には、略円板状のカメラ取付台５が取り付けられている。カメラ取付台５の中央部には、カメラ固定ねじ６が取り付けられている。
【００１５】
そして、カメラ取付台５の上面が、カメラ（図示せず）が取り付けられる平面状のカメラ取付面７となっている。
【００１６】
カメラ取付面７には、略全面にわたってゴム塗装が施されている。すなわち、カメラ取付面７の略全面は、ゴム塗装にて形成されたゴム塗装膜（例えば厚さ約２０μｍ〜２５μｍ）１０にて覆われている。そして、カメラは、カメラ取付面７にゴム塗装膜１０を介して取り付けられる。
【００１７】
なお、ゴム塗装は、ゴム状弾性を有する材料を使用して、刷毛塗りまたは吹付け等により行う。
【００１８】
そして、このようなカメラ用三脚１によれば、カメラ取付台５のカメラ取付面７にコルク製パッドを接着剤で貼着する代わりにゴム塗装を施したものであるため、カメラの滑り止めおよびカメラの底面保護等を図れるばかりでなく、カメラの支持の安定化を図ることができ、かつ、製造およびメンテナンスを容易にできる。
【００１９】
次に、本発明のカメラ支持具の第２の実施の形態について図面を参照して説明する。
【００２０】
図２において、１１はカメラ支持具であるカメラ用雲台で、このカメラ用雲台１１は、雲台本体１２と、この雲台本体１２に着脱可能に取り付けられたカメラ用クイックシュープレート（以下、プレートという）１３とを備えている。
【００２１】
雲台本体１２は、左右方向に回動可能なパン回動体１４、上下方向に回動可能なティルト回動体１５、プレート１３が着脱可能に取り付けられたサイドティルト台１６、操作ハンドル１７、サイドティルトロックノブ１８、プレートロックレバー１９等にて構成されている。
【００２２】
また、プレート１３は、略矩形板状をなすもので、このプレート１３の中央部には、カメラ固定ねじ２１が取り付けられている。
【００２３】
そして、プレート１３の上面が、カメラ（図示せず）が取り付けられる平面状のカメラ取付面２３となっている。
【００２４】
カメラ取付面２３には、略全面にわたってゴム塗装が施されている。すなわち、カメラ取付面２３の略全面は、ゴム塗装にて形成されたゴム塗装膜（例えば厚さ約２０μｍ〜２５μｍ）２４にて覆われている。そして、カメラは、カメラ取付面２３にゴム塗装膜２４を介して取り付けられる。
【００２５】
なお、ゴム塗装は、ゴム状弾性を有する材料を使用して、刷毛塗りまたは吹付け等により行う。
【００２６】
そして、このようなカメラ用雲台１１によれば、カメラ取付面２３にコルク製パッドを接着剤で貼着する代わりにゴム塗装を施したものであるため、カメラの滑り止めおよびカメラの底面保護等を図れるばかりでなく、カメラの支持の安定化を図ることができ、かつ、製造およびメンテナンスを容易にできる。
【００２７】
次に、本発明のカメラ支持具の第３の実施の形態について図面を参照して説明する。
【００２８】
図３において、３１はカメラ支持具であるカメラ用クイックシューで、このカメラ用クイックシュー３１は、図示しない雲台本体に形成されたベース取付部に取り付けられるベース３２と、このベース３２に着脱可能に取り付けられたカメラ用クイックシュープレート（以下、プレートという）３３とを備えている。
【００２９】
ベース３２は、板状の基板部３４を有し、この基板部３４の３辺の縁からは立上り板部３５が一体に立ち上がっている。また、基板部３４の端部から上方に突出した軸部３６には、プレートロックレバー３７が回動可能に取り付けられている。
【００３０】
また、プレート３３は、上記カメラ用雲台１１のプレート１３と同一構成のもので、中央部にはカメラ固定ねじ２１が取り付けられ、上面のカメラ取付面２３にはゴム塗装が施され、このカメラ取付面２３がゴム塗装膜２４にて覆われている。
【００３１】
そして、このようなカメラ用クイックシュー３１によれば、カメラ取付面２３にコルク製パッドを接着剤で貼着する代わりにゴム塗装を施したものであるため、カメラの滑り止めおよびカメラの底面保護等を図れるばかりでなく、カメラの支持の安定化を図ることができ、かつ、製造およびメンテナンスを容易にできる。
【００３２】
なお、カメラ支持具は、図１に示すカメラ用三脚１、図２に示すカメラ用雲台１１、図３に示すカメラ用クイックシュー３１には限定されず、例えば伸縮可能な１本の脚体を備えたカメラ用一脚でもよく、また、上記プレート１３と同一構成をなす単品であるカメラ用クイックシュープレート（カメラ用スペアシュー）等でもよい。
【００３３】
【発明の効果】
本発明によれば、カメラ取付面にコルク製パッドを接着剤で貼着する代わりにゴム塗装を施したものであるため、カメラの支持の安定化を図ることができ、かつ、製造およびメンテナンスを容易にできる。
【図面の簡単な説明】
【図１】本発明のカメラ支持具の第１の実施の形態を示す斜視図である。
【図２】本発明のカメラ支持具の第２の実施の形態を示す斜視図である。
【図３】本発明のカメラ支持具の第３の実施の形態を示す斜視図である。
【符号の説明】
１    カメラ支持具であるカメラ用三脚
７    カメラ取付面
１１    カメラ支持具であるカメラ用雲台
２３    カメラ取付面
３１    カメラ支持具であるカメラ用クイックシュー
【図１】
2004258451.tif 000003
【図２】
2004258451.tif 000004
【図３】
2004258451.tif 000005